(57)【要約】【課題】換気装置の本体１を天井裏に取り付ける場合天井の板１５の厚みの違いがあっても、ルーバー固定部１８との距離を一定にして、スペーサを新たに設けるあるいはねじを取り付ける力を調整することをなくすことができることを目的とする。【解決手段】ルーバー１６を高さ調整部品１７に固定し、ルーバー１６を前記天井の板１５に密着させ、ルーバー１６のねじ穴ボス部２２とルーバー固定部１８との距離が一定になるという構成にしたことにより、ルーバー１６取り付け時に、ルーバー１６のねじ穴ボス部２２と高さ調整部品１７のルーバー固定部１８との距離を一定にするので、天井の厚みの違いがある場合、ねじの締めすぎによるルーバー１６の変形や固定部の破損のおそれがなくなり、施工要因による不具合をなくすことができる換気装置を得られる。【選択図】図６
2012117749.tif 000002
【特許請求の範囲】
【請求項１】
天井の裏に本体を取り付け、前記天井の板を挟んで室内側から前記天井の面にルーバーを取り付け、前記天井の板を挟んで本体とルーバーを取り付ける高さ調整部品を設け、前記高さ調整部品はルーバー固定部とフランジとねじ固定部で構成し、前記天井の板の前記室内側の前記天井面に前記フランジの一面であるフランジ面を当てて固定し、前記ルーバーを前記高さ調整部品に固定し、前記ルーバーを前記天井の板に密着させ、前記ルーバーのねじ穴ボス部と前記ルーバー固定部との距離が一定になることを特徴とした換気装置。
【請求項２】
フランジ面を下方から天井の板へねじ止めして天井面に固定することを特徴とした請求項１に記載の換気装置。
【請求項３】
天井開口の内側から高さ調整部品を、天井面と平行な方向に天井の板裏の野縁にねじ止めすることを特徴とした請求項１に記載の換気装置。
【請求項４】
高さ調整部品を固定するための調整部品固定部を、本体に設けることを特徴とした請求項１に記載の換気装置。
【請求項５】
高さ調整部品に横方向へのねじ止め用のねじ固定部を設け、本体の調整部品固定部のねじ穴を縦方向の長穴とし、前記高さ調整部品を上下方向にスライドさせて固定することができることを特徴とした請求項４に記載の換気装置。
【請求項６】
調整部品固定部に、高さ調整部品のねじの回転方向のずれを防ぐガイドを設けることを特徴とした請求項４または５に記載のルーバー取り付け機構。
【請求項７】
高さ調整部品のフランジとルーバー固定部との間に一定の距離を設け、Ｕ字形状とすることを特徴とした請求項４〜６のいずれかに記載の換気装置。
【発明の詳細な説明】
【技術分野】
【０００１】
本発明は、天井裏に設置され、天井を挟んで室内側の天井面にルーバーを有した換気装置に関するものである。
【背景技術】
【０００２】
従来、この種の換気装置は、天井厚みの違いにより変わる本体とルーバーとの間の空間を埋めるためにスペーサを配設するものが知られている（例えば、特許文献１参照）。
【０００３】
特許文献１に記載の換気装置は、本体側面に室外排気用ダクト接続部を有する室外排気口を備え、本体下面に室内空気を吸込む本体吸込み口を備え、本体吸込み口下部に室内空気吸込み口を備えた化粧グリルを備え、本体下面に本体吸込み口を形成する壁部を備え、壁部の全周に沿わせてなる化粧グリルに設けられた突壁を摺動自在に嵌合する構成とし、化粧グリルを本体へ固定するために、本体側に開口穴を備え、化粧パネル側にネジ取付部を備えてスペーサを介してねじで締結する構成としている。
【先行技術文献】
【特許文献】
【０００４】
【特許文献１】特開２００６−２８４１１４号公報
【発明の概要】
【発明が解決しようとする課題】
【０００５】
このような従来の換気装置では、天井の厚みの違いにより本体の開口穴と化粧パネルのネジ取付部との距離が変化することにより、スペーサの長さを調節する必要があるため、スペーサ側筒面に薄肉部、ケガキおよび突起等の切断用目印を設けて切断することにより長さを調整する必要があるが、ねじの締め付け時に化粧パネルのネジ取付部をスペーサが保持する必要があるため、ねじの締め付けで変形しない程度の強度が必要であることから、スペーサを切断しにくく、また、微妙なスペーサの長さ調整が難しいという課題を有していた。
【０００６】
そこで本発明は、上記従来の課題を解決するものであり、換気装置の本体を天井裏に取り付ける場合天井の厚みの違いがあっても、ルーバー取り付け部との距離を一定にして、スペーサを新たに設ける、あるいはねじを取り付ける力を調整する必要をなくすことができることを目的とする。
【課題を解決するための手段】
【０００７】
そして、この目的を達成するために、本発明は、天井の裏に本体を取り付け、前記天井の板を挟んで室内側から前記天井面にルーバーを取り付け、前記天井の板を挟んで本体とルーバーを取り付ける高さ調整部品を設け、前記高さ調整部品はルーバー固定部とフランジとねじ固定部で構成し、前記天井の板の前記室内側の前記天井面に前記フランジの一面であるフランジ面を当てて固定し、前記ルーバーを前記高さ調整部品に固定し、前記ルーバーを前記天井の板に密着させ、前記ルーバーのねじ穴ボス部と前記ルーバー固定部との距離が一定になるとしたものであり、これにより所期の目的を達成するものである。
【発明の効果】
【０００８】
本発明によれば、天井の裏に本体を取り付け、前記天井の板を挟んで室内側から前記天井面にルーバーを取り付け、前記天井の板を挟んで本体とルーバーを取り付ける高さ調整部品を設け、前記高さ調整部品はルーバー固定部とフランジとねじ固定部で構成し、前記天井の板の前記室内側の前記天井面に前記フランジの一面であるフランジ面を当てて固定し、前記ルーバーを前記高さ調整部品に固定し、前記ルーバーを前記天井の板に密着させ、前記ルーバーのねじ穴ボス部と前記ルーバー固定部との距離が一定になるという構成にしたことにより、ルーバー取り付け時に、ルーバーのねじ穴ボス部と高さ調整部品のルーバー固定部との距離を一定にすることとなるので、換気装置の本体を天井裏に取り付ける場合天井の厚みの違いがあっても、ルーバー取り付け部との距離を一定にして、スペーサを新たに設けるあるいはねじを取り付ける力を調整することをなくすことができる、つまり、天井の厚みの違いがある場合、ねじの締めすぎによるルーバーの変形や固定部の破損のおそれがなくなり、施工要因による不具合をなくすことができるという効果を得ることができる。
【図面の簡単な説明】
【０００９】
【図１】本発明の実施の形態１の換気装置を示す分解斜視図
【図２】同換気装置の上方斜視図
【図３】同換気装置の下方斜視図
【図４】同換気装置の調整部品を示す斜視図
【図５】同換気装置のルーバーを示す斜視図
【図６】同換気装置の施工状態を示す側面拡大構成図
【図７】同換気装置の調整部品周辺の拡大斜視図
【図８】本発明の実施の形態２の換気装置を示す下方斜視図
【発明を実施するための形態】
【００１０】
本発明の請求項１記載の換気装置は、天井の裏に本体を取り付け、前記天井の板を挟んで室内側から前記天井面にルーバーを取り付け、前記天井の板を挟んで本体とルーバーを取り付ける高さ調整部品を設け、前記高さ調整部品はルーバー固定部とフランジとねじ固定部で構成し、前記天井の板の前記室内側の前記天井面に前記フランジの一面であるフランジ面を当てて固定し、前記ルーバーを前記高さ調整部品に固定し、前記ルーバーを前記天井の板に密着させ、前記ルーバーのねじ穴ボス部と前記ルーバー固定部との距離が一定になるという構成を有する。これにより、ルーバー取り付け時に、ルーバーのねじ穴ボス部と高さ調整部品のルーバー固定部との距離を一定となるので、換気装置の本体を天井裏に取り付ける場合天井の厚みの違いがあっても、ルーバ取り付け部との距離を一定にして、スペーサを新たに設けるあるいはねじを取り付ける力を調整することをなくすことができる、つまり、天井の厚みの違いがある場合、ねじの締めすぎによるルーバーの変形や固定部の破損のおそれがなくなり、施工要因による不具合をなくすことができるという効果を奏する。
【００１１】
また、フランジ面を下方から天井の板へねじ止めして天井面に固定するという構成にしてもよい。これにより、ルーバー取り付け時にルーバーのねじ穴ボス部と高さ調整部品のルーバー固定部との距離が一定となるので、ねじの締めすぎによるルーバーの変形や固定部の破損のおそれがなくなり、施工要因による不具合をなくすことができるとともに、高さ調整部品を下方から容易にねじ固定することができるという効果を奏する。
【００１２】
また、天井開口の内側から高さ調整部品を、天井面と平行な方向に天井の板裏の野縁にねじ止めするという構成にしてもよい。これにより、天井面と平行に横方向へ野縁にねじ止めするため、高さ調整部品は落下方向に対し垂直方向へのねじ止めすることとなるので、ねじの緩みによる高さ調整部品の外れ、および、落下の恐れがないという効果を奏する。
【００１３】
また、高さ調整部品を固定するための調整部品固定部を、本体に設けるという構成にしてもよい。これにより、高さ調整部品は製品本体への固定となるため、天井の板もしくは野縁の材質や寸法がことなることにより固定できない場合でも高さ調整部品を固定することとなるので、設置箇所にとらわれずに高さ調整部品を固定することができるという効果を奏する。
【００１４】
また、高さ調整部品に横方向へのねじ止め用のねじ固定部を設け、本体の調整部品固定部のねじ穴を縦方向の長穴とし、前記高さ調整部品を上下方向にスライドさせて固定するという構成にしてもよい。これにより、高さ調整部品がスライド幅を自由に動くことができるため、高さ調整部品を天井面に合わせた状態でねじ止めをすることとなるので、高さ調整部品の位置を調整しながらの本体の固定部品に固定ができるという効果を奏する。
【００１５】
また、調整部品固定部に、調整部品のねじの回転方向のずれを防ぐガイドを設けるという構成にしてもよい。これにより、高さ調整部品を調整部品固定部にねじ固定する際に、高さ調整部品がねじの回転方向に動いてずれることを防ぐこととなるので、高さ調整部品のルーバー固定部の位置ずれを防ぐことができるという効果を奏する。
【００１６】
また、高さ調整部品のフランジとルーバー固定部との間に一定の距離を設け、Ｕ字形状とするという構成にしてもよい。これにより、高さ調整部品の調整部品固定部とのねじ固定部とフランジ合わせ面が離れ、またＵ字形状の変形を許容するため、ルーバー固定部が変形した場合でも、ねじ固定部とルーバー固定部との位置関係はずれないとなるので、施工によるバラツキを許容することができるという効果を奏する。
【００１７】
以下、本発明の実施の形態について図面を参照しながら説明する。
【００１８】
（実施の形態１）
本発明は、換気装置の本体を天井の裏に取り付け、天井の板を挟んでルーバーを天井の板の開口を覆うように取り付けられる換気装置に関するものである。
【００１９】
図１に示すように、換気装置は本体１の一側面側に１箇所の吸込み口２を有し、吸込み口２の対面となる側面側に多数の吹出し口３を有している。本体１の吸込み口２と室外２９とはダクト（図示せず）にて連通されており、室外２９の空気を本体１へ取り入れ、また、多数の吹出し口３には任意の口数分のダクトが接続され、ダクトの先端には居室の天井面に設置された給気グリルへと接続され、給気グリルを介して室外２９の空気を居室へ供給する。また、本体１の吹出し口３は家の間取りや広さにより、吹出し口３に連通させるダクトが少なくていい場合は、吹出し口３を塞ぐことにより任意の口数に切り替えることができる。
【００２０】
また、本体１の内部風路は発泡の成型部品４にて形成されており、本体１の外郭はすべて板金５にて覆われている。また、電動機６は電動機取り付け板７にねじ固定されており、電動機６にシロッコファン８が固定されており、電動機６と電動機取り付け板７、そしてシロッコファン８が一体となった電動機ユニット９として、本体１の下面からの取り外しが可能となっている。
【００２１】
そして、図２に示すように、本体１の下面には野縁固定部１０として４箇所の取り付け部が本体１の下方へ凸となるように設けている。下方に配接された２本の野縁１１に野縁固定部１０と合わさる面が合うように、一定の寸法ピッチにて形成されているため、天井開口１２の裏の４辺を野縁１１で形成した後、野縁固定部１０が野縁１１の開口内側１３に収まるように、本体１を野縁１１の上に置くこととなる。
【００２２】
野縁固定部１０には長穴１４が開けられており、長穴１４を貫通させて野縁１１へねじを横方向へ打ち込むことによって本体１を野縁１１へ固定する。
【００２３】
野縁１１にて形成された４辺の枠と同一の天井開口１２を本体１の下面の天井の板１５に開けることにより、図１に示すようにメンテナンスにより電動機６を取り外す際、電動機ユニット９を本体１から下方へ引き出し、図２に示すように天井開口１２から取り出すことによって、電動機６の交換が容易にできることとなる。
【００２４】
そして、図３に示すように天井開口１２よりも一回り大きなルーバー１６を天井開口１２を覆うように天井の板１５に取り付けることにより、通常時は天井開口１２がルーバー１６で隠れるため、インテリア性を損なうことがなく、本体１の部品を交換する際のみ、ルーバー１６を取り外してメンテナンスすることができる。
【００２５】
ルーバー１６の施工方法としては、ルーバー１６を高さ調整部品１７に固定する方法を用いる。図４に示すように、高さ調整部品１７は好ましくは板金等の強度のある材質にて形成し、２面のフランジを有し、ルーバー固定部１８、ねじ固定部１９、フランジ２０の主要部にて形成する。ルーバー固定部１８とフランジ２０との間は一定の距離を開けて、Ｕ字形状となっており、Ｕ字形状２１の弾性を利用して変形を許容する形状となっている。
【００２６】
図５に示すように、ルーバー１６には取り付け状態によって、図４に示す高さ調整部品１７のルーバー固定部１８と対となる位置にねじ穴ボス部２２を設け、図３に示す室内３０側から図５に示すねじ穴ボス部２２を貫通してねじを高さ調整部品１７に締め付けて固定する。
【００２７】
次に、図６を用い、高さ調整部品１７と接する部分の関係を示す。高さ調整部品１７は、フランジ面２３を天井の板１５の室内３０面に合わせた状態で固定するので、天井の板１５の室内３０面とルーバー固定部１８との距離は天井の板１５の厚みが変化した場合でも常に一定の距離となる。そのため、ルーバー１６のねじ穴ボス部２２を高さ調整部品１７のルーバー固定部１８へ接するように固定したとき、天井の板１５と接するルーバー１６のフランジ２４と天井の板１５との距離も常に一定とすることができる。したがって、天井の板１５とルーバー１６のフランジ２４との隙間が生じないように、高さ調整部品１７の長さを決めることによって、高さ調整部品１７にルーバー１６を取り付けたとき、天井の板１５の厚さによらず、ルーバー１６のフランジ２４を天井の板１５へ例えば１ｍｍ程度押し当てるように固定させることも可能となる。
【００２８】
また、高さ調整部品１７は図４に示すようにＵ字形状２１にて形成し、ルーバー固定部１８とフランジ２０との間が離れており、Ｕ字形状２１が変形し易くなっている。ここで、図５に示すルーバー１６のねじ穴ボス部２２の位置は常に一定に決まっているため、ねじ穴ボス部２２と係合する図４に示すルーバー固定部１８の位置もつねに一定と決まる必要がある。そのため、図２に示す天井開口１２の位置ずれや野縁１１の寸法のずれにより、図４に示すフランジ２０の位置がばらついた場合でも、Ｕ字形状２１により、フランジ２０の位置ずれの影響を受けることがない。したがって、施工時に天井開口１２や野縁１１の寸法のばらつきが生じた場合でも、ルーバー固定部１８の位置関係に影響を受けにくくなる。
【００２９】
高さ調整部品１７を固定する場所として、図７に示すように、本体１に調整部品固定部２５を設ける。なお、図７はルーバーを取り付ける前の天井の板１５、高さ調整部品１７、調整部品固定部２５の様子を示している。調整部品固定部２５は本体１の下面に固定されており、本構成においては調整部品固定部２５を有した部品に一体に野縁固定部１０を有した構造となる。調整部品固定部２５には高さ調整部品１７のねじ固定部１９と係合する長穴２６を有し、長穴２６を中心として対称となるように長穴２６と平行方向に両側に２本のガイド２７を設けている。
【００３０】
上記構成により、高さ調整部品１７は本体１に固定された調整部品固定部２５の長穴２６によって、に取り付けられるため、本体１の設置箇所や天井の板１５の材質、または野縁１１の材質や寸法にとらわれずに高さ調整部品１７を確実に本体１に固定することができる。また、高さ調整部品１７のねじ固定部１９と調整部品固定部２５とをねじで取り付ける際、調整部品固定部２５の長穴２６にねじを貫通させてねじ固定部１９にねじを固定するが、長穴２６が上下方向に延びているため、図２に示すように天井の板１５の厚み、および野縁１１の高さが変化した場合でも、図７に示す高さ調整部品１７を上下方向にスライドさせて長穴２６を貫通させてねじ止めすることができる。
【００３１】
なお、高さ調整部品１７に設けられた２本のガイド２７の距離は高さ調整部品１７の幅よりもわずかに大きくしてあり、高さ調整部品１７をガイド２７の内側に沿って取り付けることにより、長穴２６を通してねじ固定する際、ねじの回転方向に力が加わることにより、高さ調整部品１７がガイド２７に接触して回転方向にずれることを防ぐ。そのため、図６に示すルーバー１６のねじ穴ボス部２２と係合するルーバー固定部１８の位置をより正確に決めることができる。
【００３２】
（実施の形態２）
図８において、実施の形態１と同様の構成要素については同一の符号を付し、その詳細な説明は省略する。
【００３３】
図８において、実施の形態１にて説明した高さ調整部品１７に対し、Ｕ字形状２１のねじ固定部１９が、フランジ２０側に構成している点が異なっている。前記構成により、高さ調整部品１７を図６に示す天井の板１５の室内３０面に合わせて固定する際、フランジ２０を天井の板１５に接した状態にて、天井の板１５に対し下方から、フランジ面２３と同一面に設けられたねじ固定部１９にねじを貫通させて、天井の板１５とねじを固定することにより、高さ調整部品１７を固定することができる。また、高さ調整部品１７を本体１に固定する際、図５に示すルーバー１６に設けられたねじ穴ボス部２２と図８に示す高さ調整部品１７のねじ固定部１９との位置が同一となるように固定する必要がある。そのため、本体１に固定された調整部品固定部２５に実施の形態１とは異なり図７に示す長穴２６を有しない形状となるが、図８に示すガイド２７を有しており、高さ調整部品１７を２本のガイド２７の間を通すことにより、天井の板１５に対して高さ調整部品１７をねじで固定する際、ねじの回転で位置がずれることなく位置が一定に決めることができる。そのため、図５に示すようにルーバー１６のねじ穴ボス部２２と高さ調整部品１７のルーバー固定部１８との位置を容易に合わせることができる。
【００３４】
なお、フランジ２０を有する面に高さ調整部品１７を天井の板１５に固定するためのねじ固定部１９を有する場合を説明したが、図８中に示すように、高さ調整部品１７においてルーバー固定部１８とフランジ２０に挟まれた２面のうちのフランジ２０と連通する側面２８にねじ固定部１９を配設することにより、図２に示す天井の板１５と平行な方向に天井の板１５裏の野縁１１にねじにより図８に示す高さ調整部品１７を固定することができる。このような構成とすることにより、図２に示す天井の板１５と垂直な面となる野縁１１に対してねじ止めをすることとなり、図８に示すねじ、および本体１の落下方向と垂直方向へのねじ止めとなる。そのため、ねじの緩みや抜けにより高さ調整部品１７の外れ、しいては本体１の落下の可能性を大幅に低減することができる。
【産業上の利用可能性】
【００３５】
本発明にかかる換気装置は、天井の厚みの違いがある場合でも、調整部品を設けることによりねじの締めすぎによるルーバーの変形や固定部の破損のおそれをなくすことを可能にするものであるので、厚みの違いが生じる天井の板を介して本体とルーバーを固定して使用されるものに広く有用である。
【符号の説明】
【００３６】
１    本体
１１  野縁
１４  長穴
１５  天井の板
１６  ルーバー
１７  高さ調整部品
１８  ルーバー固定部
１９  ねじ固定部
２０  フランジ
２１  Ｕ字形状
２２  ねじ穴ボス部
２３  フランジ面
２４  フランジ
２５  調整部品固定部
２６  長穴
２７  ガイド
２９  室外
３０  室内
【図１】
2012117749.tif 000003
【図２】
2012117749.tif 000004
【図３】
2012117749.tif 000005
【図４】
2012117749.tif 000006
【図５】
2012117749.tif 000007
【図６】
2012117749.tif 000008
【図７】
2012117749.tif 000009
【図８】
2012117749.tif 000010